(57)【要約】      （修正有）【課題】断熱性と防水性、並びに簡単な構造と施工性を持つ断熱屋根構造を提供する。【解決手段】屋根構造は、母屋６０と、母屋の上に配設されかつ母屋に対して留付材３０Ｃで固定された野地板５０と、野地板の上に配設されかつ野地板に対して接着剤によって接着された断熱材４０と、断熱材の上に配設されかつ断熱材に対して下塗りプライマーを介して防水シート２０を形成するゴムの粘着によって接着された防水シートと、防水シートの上に配設されかつ防水シートに対して金属屋根材１０に裏打ちされたゴムの粘着によって固定された金属屋根材とを含み、留付材が前記断熱材の厚さ方向に延びておらず、前記断熱材の厚さ方向に延びる構造材が存在しないため断熱材を横断する熱橋がない。従って外部環境の温度変化の影響を受けにくく、断熱性が極めて高い。また、野地板の上に断熱材を接着固定しているため、断熱材を厚く形成して断熱性を高めることが容易である。【選択図】図３
0003232351.tif 000002
【実用新案登録請求の範囲】
【請求項１】
母屋と、前記母屋の上に配設されかつ前記母屋に対して留付材で固定された野地板と、前記野地板の上に配設されかつ前記野地板に対して接着剤によって接着された断熱材と、前記断熱材の上に配設されかつ前記断熱材に対して下塗りプライマーを介して防水シートを形成するゴムの粘着によって接着された防水シートと、前記防水シートの上に配設されかつ前記防水シートに対して金属屋根材に裏打ちされたゴムの粘着によって固定された金属屋根材とを含む断熱屋根構造であって、前記留付材が、前記断熱材の厚さ方向に延びていないこと、及び前記断熱材の厚さ方向に延びる構造材が、存在しないことを特徴とする断熱屋根構造。
【請求項２】
前記下塗りプライマーが、ブチルゴム系プライマーであり、前記防水シートが、非加硫ブチルゴム系シートであり、前記金属屋根材に裏打ちされたゴムが、非加硫ブチルゴムであることを特徴とする請求項１に記載の断熱屋根構造。
【請求項３】
前記断熱材が、発泡プラスチックフォーム板であることを特徴とする請求項１又は２に記載の断熱屋根構造。
【請求項４】
前記断熱材が、接着剤によって複数の断熱材が接着されかつ積層されたものであることを特徴とする請求項１〜３のいずれかに記載の断熱屋根構造。
【考案の詳細な説明】
【技術分野】
【０００１】
本考案は、断熱性、防水性、施工性に優れた断熱屋根構造に関する。
【背景技術】
【０００２】
従来から金属屋根材と断熱材を使用した断熱屋根構造が数多く提案されている（例えば特許文献１〜４参照）。かかる断熱屋根構造の典型例を図１に示す。図１（ａ）は、従来の断熱屋根構造の一例を屋根傾斜方向で鉛直に切った概略断面図であり、図１（ｂ）は、図１（ａ）の断面図をその断面に直交する方向でＡ−Ａ´で切った概略断面図である。図１中、１０は金属屋根材、１０Ａは吊子、１０Ｂは留付材、２０は防水シート、３０Ａは金属垂木、４０は断熱材、５０は野地板、５０Ａは留付材、６０はＣ型鋼からなる母屋である。
【０００３】
図１の断熱屋根構造は、一般に、母屋６０の上に野地板５０を配置し、次いで留付材５０Ａで野地板５０と共に金属垂木３０Ａを母屋６０に固定した後、断熱材４０を隣接する金属垂木３０Ａ間に配置し、断熱材４０の上に防水シート２０を配置し、金属屋根材１０に係合された吊子１０Ａを金属垂木３０Ａの上部に留付材１０Ｂで留めることによって施工される。
【０００４】
しかしながら、この断熱屋根構造は、断熱材の厚さ方向に金属垂木のような構造材が存在するため、この部分に断熱材が配置されず、断熱性が十分でなかった。また、この断熱屋根構造は、金属垂木の存在により、金属屋根材と吊子と留付材と金属垂木と留付材と母屋の間で熱橋が形成されるため、母屋が外部環境の温度変化の影響を容易に受けて、室内側の断熱性が不十分になったり、母屋に結露が起こりやすい問題があった。
【０００５】
これに対して断熱材の厚さ方向に金属垂木のような構造材を使用せず、断熱材と野地板の位置を変更した断熱屋根構造が提案されている。図２は、かかる断熱屋根構造の一例を屋根傾斜方向で鉛直に切った概略断面図であり、図２中、１０は金属屋根材、２０は防水シート、３０Ｂは留付材、４０は断熱材、５０は野地板、６０はＣ型鋼からなる母屋である。
【０００６】
図２の断熱屋根構造は、一般に、母屋６０の上に断熱材４０を配置し、さらに断熱材４０の上に野地板５０を配置し、長い留付材３０Ｂによって母屋６０に断熱材４０と野地板５０を一緒に固定した後、野地板５０の上に防水シート２０を配置してから金属屋根材１０を粘着固定することによって施工される。
【０００７】
この断熱屋根構造は、断熱材の厚さ方向に延びる金属垂木のような構造材がないため、図１の断熱屋根構造に比べて外部から母屋への熱伝達が少なくなっているが、断熱材が、断熱されていない野地板の裏面に存在するため、断熱材の裏面に結露が起こりやすい問題があった。また、野地板と母屋が留付材で直結しているため、この留付材を介して母屋に熱が伝達され、母屋に結露が起こりやすい問題があった。さらに、留付材を野地板の上から断熱材を貫通又は横断させて母屋に固定するため、野地板と断熱材を合わせた厚みの長さの留付材を使う必要があったり、剪断応力により留付材が破損したり、保持力が弱まったり、断熱材が褪せて留付材の頭が内部に突き抜ける問題があった。また、長い留付材の使用を避けようとすると厚い断熱材が使用できない問題があった。
【先行技術文献】
【特許文献】
【０００８】
【特許文献１】特開平５−２８０１５７号公報
【特許文献２】実開平６−６５５９号公報
【特許文献３】特開平８−２４６６０９号公報
【特許文献４】特開２００２−６１３３９号公報
【考案の概要】
【考案が解決しようとする課題】
【０００９】
本考案は、かかる従来技術の問題を解消するために創案されたものであり、その目的は、確実で永続的な断熱性と防水性、並びに簡単な構造と施工性を持つ断熱屋根構造を提供することにある。
【課題を解決するための手段】
【００１０】
本考案者は、かかる目的を達成するために鋭意検討した結果、野地板を母屋に留付材で固定し、野地板に断熱材を接着剤で固定することによって断熱材の厚さを考慮した長い留付材や断熱材を横断する金属垂木などの構造材を使う必要がなくなること、その上で断熱材で野地板を覆うことによって外部環境の温度変化の影響を受けにくくできること、さらに母屋への野地板の留付材の固定以外は基本的に接着工法を採用することによって外部環境からの熱や水の伝達箇所がなく、高い断熱性及び防水性が効果的に達成されることができることなどを見出し、本考案の完成に至った。
【００１１】
即ち、本考案は、以下の（１）〜（４）の構成を有するものである。
（１）母屋と、前記母屋の上に配設されかつ前記母屋に対して留付材で固定された野地板と、前記野地板の上に配設されかつ前記野地板に対して接着剤によって接着された断熱材と、前記断熱材の上に配設されかつ前記断熱材に対して下塗りプライマーを介して防水シートを形成するゴムの粘着によって接着された防水シートと、前記防水シートの上に配設されかつ前記防水シートに対して金属屋根材に裏打ちされたゴムの粘着によって固定された金属屋根材とを含む断熱屋根構造であって、前記留付材が、前記断熱材の厚さ方向に延びていないこと、及び前記断熱材の厚さ方向に延びる構造材が、存在しないことを特徴とする断熱屋根構造。
（２）前記下塗りプライマーが、ブチルゴム系プライマーであり、前記防水シートが、非加硫ブチルゴム系シートであり、前記金属屋根材に裏打ちされたゴムが、非加硫ブチルゴムであることを特徴とする（１）に記載の断熱屋根構造。
（３）前記断熱材が、発泡プラスチックフォーム板であることを特徴とする（１）又は（２）に記載の断熱屋根構造。
（４）前記断熱材が、接着剤によって複数の断熱材が接着されかつ積層されたものであることを特徴とする（１）〜（３）のいずれかに記載の断熱屋根構造。
【考案の効果】
【００１２】
本考案の断熱屋根構造は、断熱材の厚さ方向に延びる釘やビスなどの留付材を設けず、しかも断熱材の厚さ方向に延びる金属垂木などの構造材を設けていないため、断熱材を横断する熱橋がなく、従って外部環境の温度変化の影響を受けにくく、断熱性が極めて高い。また、野地板の上に断熱材を接着固定しているため、断熱材を厚く形成して断熱性を高めることが容易である。
【００１３】
さらに、本考案の断熱屋根構造は、釘やビスなどの留付材で金属屋根材を固定せず、接着剤やゴムの粘着で接着固定するため、防水シートに穴を開けずに金属屋根材と防水シートの二重の防水機能を効果的に発揮することができる。また、各構成部間の固定は、留付材による母屋に対する野地板の固定以外、基本的に接着剤又はゴムによる粘着で行なわれているため、断熱屋根構造の施工が極めて容易である。
【図面の簡単な説明】
【００１４】
【図１】図１は、従来の断熱屋根構造の一例を示し、（ａ）は、屋根傾斜方向で鉛直に切った概略断面図であり、（ｂ）は、（ａ）の断面図の断面に直交する方向で鉛直に切った概略断面図である。
【００１５】
【図２】図２は、従来の断熱屋根構造の別の例を屋根傾斜方向で鉛直に切った概略断面図である。
【００１６】
【図３】図３は、本考案の断熱屋根構造の一例を屋根傾斜方向で鉛直に切った概略断面図である。
【考案を実施するための形態】
【００１７】
本考案の断熱屋根構造の実施形態及びその施工方法について図面を使用して以下に示すが、本考案はこれらに限定されるものではない。
【００１８】
図３は、本考案の断熱屋根構造の一例を屋根傾斜方向で鉛直に切った概略断面図である。図３中、１０は金属屋根材、２０は防水シート、３０Ｃは留付材、４０は断熱材、５０は野地板、６０は母屋である。以下、図３の断熱屋根構造の各構成部分を下側（室内側）から上側（外部環境側）に向かって順に説明する。
【００１９】
母屋６０は、屋根自重、積雪、施工時荷重、風荷重等に耐えて屋根構造全体を支えるために一定間隔で配置される構造部材であり、従来公知のものが使用されることができる。母屋６０は、金属製、木製、鉄筋コンクリート（ＲＣ）製が使用できるが、本考案では、金属製のものが好ましく、特にＣ型鋼が好ましい。
【００２０】
野地板５０は、母屋６０の上に配設され、固定されるものであり、それより上の屋根構造を面で受けて支える板状の構造部材である。野地板５０は、杉板、野地合板、耐火野地合板などの従来公知のものが使用されることができる。本考案では、野地板５０は、耐火野地合板が好ましく、特に硬質木片セメント板、硬質木毛セメント板、構造用合板、又はそれらの併用物が好ましい。
【００２１】
留付材３０Ｃは、従来公知のビス、釘などが使用されることができるが、本考案では、金属製のスクリュービスが特に好ましい。留付材３０Ｃは、母屋６０に対して野地板５０を固定するためのものであり、留付材３０Ｃのビスなどの頭は、野地板５０の外部環境側の面に面一で位置するように使用される。
【００２２】
本考案の断熱屋根構造では、留付材３０Ｃが野地板５０の上の断熱材４０の厚さ方向に延びていないことが必要である。これにより、留付材３０Ｃを介する外部環境からの熱の内部への伝達が効果的に抑制されることができる。
【００２３】
断熱材４０は、従来公知の屋根用の断熱材が使用されることができるが、本考案では、施工性と断熱性の点で発泡プラスチックフォーム板、特にポリイソシアヌレートフォーム板が好ましい。断熱材４０は、野地板５０に対して接着剤によって接着される。ここで使用される接着剤としては、従来公知のものが使用されることができるが、本考案では、クロロプレンゴム系接着剤、酢酸ビニル系接着剤が好ましい。断熱材４０を厚くしたい場合は、接着剤によって複数の断熱材（例えば発泡プラスチックフォーム板）が接着されかつ積層されたものを使用することができる。
【００２４】
本考案の断熱屋根構造では、断熱材４０の厚さ方向に延びる構造材（金属垂木など）が存在しないことが必要である。これにより、断熱材４０をまたぐ熱橋がなくなり、外部環境からの熱の内部への伝達が効果的に抑制されることができる。
【００２５】
防水シート２０は、断熱材４０の上に配設され、釘やビスで穴を開けないで接着されるものであり、それより上の金属屋根材１０の隙間から雨水や湿気が侵入しても防水シート２０より下への移行を防止するためのものである。本考案では、防水シート２０は、合成ゴムからなるシートであることが好ましく、特に非加硫ブチルゴム系シートが好ましい。防水シート２０は、断熱材４０の上に下地処理材として下塗りプライマーを塗布した後、その上に載せて接着されることができる。これにより、防水シート２０の接着が、下塗りプライマーと防水シート２０を形成するゴムの粘着によって効果的に行なわれることができる。下塗りプライマーとしては、ブチルゴム系プライマーが好ましい。
【００２６】
金属屋根材１０は、ガルバリウム鋼板（登録商標）、ジンガリウム鋼板、亜鉛合金板などの従来公知のものが使用されることができ、本考案では、裏面が合成ゴム、特に非加流ブチルゴムで裏打ちされているものが好ましい。金属屋根材１０は、防水シート２０の上に配設され、防水シート２０のゴムに対する金属屋根材１０に裏打ちされたゴムの粘着によって接着され固定されることができる。防水シート２０のゴムと金属屋根材１０に裏打ちされたゴムの粘着により両者の接着、固定を確実にすることができる。
【００２７】
次に、本考案の断熱屋根構造の施工方法の一例について説明する。まず、設計された屋根構造に合わせて、例えば、屋根の傾斜方向に直交する方向に母屋６０を一定の間隔で配置する。母屋６０は、耐火被覆を施されたものを使用することができる。次に、割付に応じて野地板５０を母屋６０の上に配置し、野地板５０を母屋６０に留付材で固定する。野地板５０に接着剤を付けて断熱材４０を接着、固定し、必要により野地板５０の目地部に目地テープを貼る。断熱材４０を厚くしたい場合は、必要に応じて接着剤を用いて断熱材４０を複数枚積層する。
【００２８】
断熱材４０の上にローラー、刷毛などを用いて下塗りプライマーを均一に塗布する。全面に塗布した後、乾燥するまで十分な養生期間をとる。次に、予め墨出しを行ない、墨出しラインに合わせ、防水シート２０を敷き込む。敷き込みは、ローラーなどで押さえて空気を抜きながら圧着して行なう。次に、割付図に応じて墨出しを行ない、金属屋根材１０をゴムハンマーなどを用いて金属屋根材に裏打ちされたゴムが防水シート２０に充分に粘着するように圧着させて固定する。これらの工程で、断熱屋根構造の施工が基本的に完了する。
【００２９】
本考案の断熱屋根構造を上で詳細に説明したが、これらは、一例にすぎず、本考案の請求項に記載の範囲を実質的に逸脱しない限り、上記の実施形態の修正、一部削除、一部の置換、一部の技術の追加等は可能であることは理解するべきである。また、説明の簡略化のために上記の説明で従来公知の構造や施工工程を十分に記載していない部分があることも理解するべきである。本考案の技術思想が十分に内在されている限り、そのような断熱屋根構造及び施工方法は、本考案の範疇に属する。
【産業上の利用可能性】
【００３０】
本考案の断熱屋根構造によれば、簡単な屋根構造で断熱性と防水性を高めることができ、しかも施工性にも優れているので、当業界において極めて有用である。
【符号の説明】
【００３１】
１０    金属屋根材
１０Ａ  吊子
１０Ｂ  留付材
２０    防水シート
３０Ａ  金属垂木
３０Ｂ  留付材
３０Ｃ  留付材
４０    断熱材
５０    野地板
５０Ａ  留付材
６０    母屋
【図１】
0003232351.tif 000003
【図２】
0003232351.tif 000004
【図３】
0003232351.tif 000005